(57)【特許請求の範囲】
【請求項１】
遊技盤を収容可能な前枠を開閉可能に保持する遊技機の外枠構造であって、
上下左右に設けられた金属製の枠扞により方形枠状に形成された外枠から構成され、前記左側枠杆と前記右側枠扞の前端部には、それぞれ前記前枠の後面に当接可能な当接部が少なくとも２箇所形成され、該各当接部の間には隙間が形成されており、前記左側枠扞と前記右側枠扞の少なくとも一方の枠扞に形成された一つの当接部は、前記前枠の開放方向に付勢可能なように構成されていることを特徴とする遊技機の外枠構造。
【請求項２】
前記左側枠扞には前記前枠を開閉可能に支持するための金属製支持具が設けられ、前記左側枠杆の当接部は、前記前枠の開放方向に付勢可能なように構成されている請求項１に記載の遊技機の外枠構造。
【請求項３】
前記下側枠扞には、前記幕板の上方に折り返し部が凹状に形成されており、該折り返し部の前端部は、前記前枠の後面に当接可能に形成されている請求項２に記載の遊技機の外枠構造。
【請求項４】
前記左側枠杆と前記右側枠杆の少なくとも一方の枠杆は、金属板を扁平形状に折り曲げることにより一体に形成され、内側鉛直部と、後方鉛直部と、外側鉛直部と、外側鉛直部の前端部において後方に折り返すことにより形成された折り返し鉛直部とから構成され、該折り返し鉛直部の前端角部及び前記内側鉛直部の前端部は前記当接部として機能し、前記折り返し鉛直部の前端角部と前記内側鉛直部の前端部との間に前記隙間が形成され、前記内側鉛直部の前端部は前記前枠の開放方向に付勢可能なように構成されている請求項１〜３のいずれか１の請求項に記載の遊技機の外枠構造。
【発明の詳細な説明】
【技術分野】
【０００１】
本発明は、パチンコ遊技機等の遊技機において、遊技盤を収容可能な前枠を開閉可能に保持する外枠を備えた遊技機の外枠構造に関し、特に、金属製の外枠から成る遊技機の外枠構造に関する。
【背景技術】
【０００２】
従来、パチンコ遊技機に代表される弾球遊技機等の遊技機では、遊技機全体の固定保持枠として木製の外枠が使用され、その外枠には各種の遊技構成部品を装備した前枠が、外枠の正面左側上下に設けられた開閉支持金具（一般的にはヒンジ金具）により開閉可能に設けられると共に、外枠の正面右側に設けられた施錠装置により閉鎖状態に保持されるようになっている。そして、遊技店では、遊技島と呼ばれる設置枠台上において所定角度に後傾した状態で外枠が固定され、その外枠の前面側に前記前枠が組み付けられ、遊技に供されるようになっている。したがって、この種の遊技機において、外枠は、大きな加重に十分耐え得る強度を備える必要があると共に所定の規格に合った外形サイズの方形枠状に形成される必要があり、また、前枠は、長期間、適正姿勢で安定して外枠に組み付け保持される必要がある。そのため、従来の外枠構造では、専用組み付け機器を使用して、開閉支持金具、施錠装置の受け金具、前枠水平載置用の受け座金具等の多数の付属部品を木製の枠扞の所要箇所に固定させることにより、複数本の枠扞を方形枠状に枠組連結させている（例えば、特許文献１参照）。
【０００３】
【特許文献１】特開２００２−２２４３７０号公報
【発明の開示】
【発明が解決しようとする課題】
【０００４】
しかしながら、上記した従来の遊技機の外枠構造では、複数本の枠扞に多数の付属部品を固定させることにより、外枠を組立てていたため、外枠の組立て作業に手間が掛かると共に、十分な強度を確保するのが難しいといった問題があった。また、材料の異なる木製の外枠と金属製の付属部品とが混在していると共に木製の外枠は使用後に廃棄されてしまうため、リサイクルが図り難いといった問題もあった。さらに、前枠と外枠との間から前枠の背面側に針金等の異物を不正に挿入させるといった悪意の遊技者による悪戯行為を防止することが難しいといった問題もあった。
【０００５】
本発明は、上記した課題を解決すべくなされたものであり、外枠の組立て作業を容易にし、十分な強度を確保し、リサイクルを容易にし、前枠と外枠との間から前枠の背面側に異物を挿入させるといった悪戯行為を防止することが可能な、遊技機の外枠構造を提供するものである。
【課題を解決するための手段】
【０００６】
本発明は、遊技盤６を収容可能な前枠３を開閉可能に保持する遊技機１の外枠構造であって、上下左右に設けられた金属製の枠扞３１，３２，３３，３４により方形枠状に形成された外枠２から構成され、枠扞３１，３２，３３，３４には、前枠３を開閉可能に支持するための金属製支持具５８，６０と、前枠３を閉鎖状態に保持するための金属製施錠用受け具７１と、金属製幕板４５とがそれぞれ一体成形されていることを特徴とする。
【０００７】
また、本発明は、遊技盤６を収容可能な前枠３を開閉可能に保持する遊技機１の外枠構造であって、上下左右に設けられた金属製の枠扞３１，３２，３３，３４により方形枠状に形成された外枠から構成され、枠扞３１，３３，３４の前端部には、当接部３９，４０，５４，５５，６６，６７が少なくとも２箇所形成され、各当接部３９，４０，５４，５５，６６，６７の間には隙間４１，５６，６８が形成されていることを特徴とする。
【０００８】
さらに、下側枠扞３２には、幕板４５の上方に折り返し部４６が凹状に形成されており、折り返し部４６の前端部４７は、前枠３の後面に当接可能に形成されていてもよい。
【０００９】
さらにまた、左側枠扞３３と右側枠扞３４の少なくとも一方の枠扞には、前枠３の開放方向に付勢された開放動作補助部５０’が形成されていてもよい。
【発明の効果】
【００１０】
本発明によれば、外枠の構成部材がすべて金属製であると共に、前枠の支持具、施錠用受け具、幕板等の付属部品が外枠と一体に成形されているため、外枠の組立て作業の簡素化が図れ、十分な強度を確保することができ、使用後のリサイクルが容易となり、さらに、外枠のどの位置でも接地を取ることができるようになる。
【００１１】
また、上側及び左右両側の枠扞の前端部に当接部が少なくとも２箇所形成されていると共に各当接部の間に隙間が形成されているため、前枠と外枠との間から前枠の背面側に針金等の異物を不正に挿入させるといった悪意の遊技者による悪戯行為を防止することができる等、種々の優れた効果を得ることができる。
【発明を実施するための最良の形態】
【００１２】
以下、図面を参照しつつ、本発明の実施の形態について説明する。なお、以下の説明では、本発明をパチンコ遊技機に使用した場合について説明する。
【００１３】
先ず、図１及び図２を参照しつつ、パチンコ遊技機の概略構成について説明する。ここで、図１はパチンコ遊技機を示す正面図、図２は図１のＡ−Ａ矢視図である。
【００１４】
このパチンコ遊技機１は、方形枠状の外枠２と、遊技機の機体となる前枠３とを備えており、前枠３は、外枠２の正面左側上下に設けられたヒンジ金具４ａ，４ｂにより外枠２に対して開閉可能に取り付けられていると共に、外枠２の正面右側に設けられた施錠装置５により閉鎖状態に保持されるようになっている。前枠３には、遊技盤６が収容され、遊技盤６の前面側には、いずれも図示しないが、図柄表示装置、中央飾り、各種入賞口等の各種遊技部品がそれぞれ配設され、遊技盤６上部の正面左側には球抜き操作孔７が穿設されている。さらに、前枠３の下部領域には遊技補助盤８が形成されており、遊技補助盤８には、遊技球を打ち出す打球発射装置（図示せず）、遊技球を一時的に貯留する貯留ケース９、遊技状態に応じて効果音を発生させる音量装置（図示せず）等が設けられている。
【００１５】
前枠２の正面側には、ガラス扉１０及び球皿１１が正面左側に設けられたヒンジ金具１２ａ，１２ｂ，１２ｃにより開閉且つ着脱可能に取り付けられ、施錠装置５及び球皿施錠装置（図示せず）により閉鎖状態に保持されるようになっている。また、球皿１１の下方には正面右側に発射ハンドル１３が設けられ、発射ハンドル１３を時計回り方向に回動させることにより球皿１１から遊技球が発射されるようになっている。
【００１６】
球皿１１は、基体となるあて板１４と、あて板１４の前方に取り付けられ、遊技球を貯留可能な皿部材１５と、あて板１４及び皿部材１５の前方を覆う外郭カバー体１６とを備えている。皿部材１５には、正面左側から中央に向かって緩く傾斜する案内皿部１５ａと、正面右側から中央に向かって緩く傾斜し、案内皿部１５ａに滑らかに繋がる貯留皿部１５ｂとが形成されており、皿部材１５に貯留される遊技球の増加に応じて案内皿部１５ａから貯留皿部１５ｂ側に遊技球が貯留されるようになっている。また、皿部材１５には、案内皿部１５ａの略中央部に円形状の球抜き口１５ｃが開閉可能に形成されており、球抜き口１５ｃは皿部材１５の前方に設けられた球抜きボタン１７を押すことにより開放されるようになっている。
【００１７】
また、前枠２の背面側には裏セット盤１８が設けられ、その裏セット盤１８は、前枠２の背面に設けられた複数のレバー（図示せず）により着脱可能に設けられている。そして、裏セット盤１８には、予備賞球を貯留する球貯留タンク（図示せず）、遊技球を整列状態で待機させる待機通路（図示せず）、遊技盤６での入賞状態等に基づき賞球を払い出す球払出装置（図示せず）、該球払出装置から払い出された賞球を貯留ケース９に導く球払出通路１９等の賞球装置が装備されていると共に、電源基板２０や遊技制御基板２１等の各種回路基板及び電子部品等が取付けられている。
【００１８】
次に、図３〜図６を参照しつつ、本発明の実施の形態に係る遊技機の外枠構造について説明する。ここで、図３はその外枠構造を示す正面図、図４はその外枠構造を構成する上側枠扞を示す断面図、図５は同下側枠扞を示す断面図、図６は同左側及び右側枠扞を示す断面図である。なお、以下の説明において、左右方向はすべて正面側から見た方向を言うものとする。
【００１９】
外枠２は、上下左右にそれぞれ配設されたいずれも金属製の上側枠扞３１、下側枠扞３２、左側枠扞３３、右側枠扞３４から構成され、各枠扞３１，３２，３３，３４を互いに直角を成すように連結させることにより方形枠状に形成されるようになっている。
【００２０】
図４によく示されているように、上側枠扞３１は、金属板を扁平形状に折り曲げることにより一体に形成され、下方水平部３５と、後方鉛直部３６と、上方水平部３７と、上方水平部３７の前端部において下方に折り曲げることにより形成された前方鉛直部３８とから構成されている。そして、前方鉛直部３８の前面３９及び下方水平部３５の前端部４０は、閉鎖状態に保持された前枠３の後面に当接可能なように形成され、前方鉛直部３８の前面３９と下方水平部３５の前端部４０との間には隙間４１が形成されている。また、図３に示されているように、上側枠扞３１には、左側端部に左側枠扞３３との連結部４２が形成され、右側端部には右側枠扞３４との連結部４３が形成されている。さらに、図示されていないが、上側枠扞３１には、外枠２を遊技島に取り付けるための孔が穿設されている。
【００２１】
このように、上側枠扞３１の前端部には前枠３に対する当接部（前方鉛直部３８の前面３９と上方水平部３７の前端部４０）が２箇所形成され、しかも、その間には隙間４１が形成されているため、悪意ある遊技者によって、外側の当接部（この場合には前方鉛直部３８の前面３９）と前枠３の間に針金等の異物が不正に挿入されたとしても、隙間４１により外枠２側には異物の挿入を案内する部材がなくなるため、異物は外枠２の内部の空間７２（すなわち、後方）に入り込むようになる。したがって、異物が内側の当接部（この場合には上方水平部３７の前端部４０）と前枠３の間に挿入されるおそれはなく、前枠３の背面側に装備された賞球装置や各種回路基板や電子部品等に対する悪戯行為を防止することができる。
【００２２】
図５によく示されているように、下側枠扞３２は、金属板を折り曲げることにより一体に形成され、下方水平部４４と、下方水平部４４の前縁部において鉛直に形成された幕板部４５と、幕板部４５の上方において凹状に形成された折り返し部４６とから構成されている。そして、折り返し部４６の前端部４７は、閉鎖状態に保持された前枠３の後面に当接可能なように形成されている。また、図３に示されているように、下側枠扞３２には、左側端部に左側枠扞３３との連結部４８が形成され、右側端部には右側枠扞３４との連結部４９が形成されている。さらに、図示されていないが、下側枠扞３２には、外枠２を遊技島に取り付けるための孔が穿設されている。
【００２３】
このように、下側枠扞３２には幕板部４５の上方に折り返し部４６が凹状に形成され、当接部（この場合には折り返し部４６の前端部４７）と前枠３の間に針金等の異物を挿入し難い構造となっているため、悪意ある遊技者によって、当接部と前枠３の間に異物が不正に挿入されるおそれがなく、前枠３の背面側に装備された賞球装置や各種回路基板や電子部品等に対する悪戯行為を防止することができる。
【００２４】
図６の左側の図によく示されているように、左側枠扞３３は、金属板を扁平形状に折り曲げることにより一体に形成され、内側鉛直部５０と、後方鉛直部５１と、外側鉛直部５２と、外側鉛直部５２の前端部において後方に折り返すことにより形成された折り返し鉛直部５３とから構成されている。そして、折り返し鉛直部５３の前端角部５４及び内側鉛直部５０の前端部５５は、閉鎖状態に保持された前枠３の後面に当接可能なように形成され、折り返し鉛直部５３の前端角部５４と内側鉛直部５０の前端部５５との間には隙間５６が形成されている。
【００２５】
また、図３に示されているように、左側枠扞３３には、上端部に上側枠扞３１の連結部４２との連結部５７及びヒンジ金具４ａを構成するヒンジ部５８がそれぞれ右方に突出して形成され、下端部には、下側枠扞３２の連結部４８との連結部５９及びヒンジ金具４ｂを構成するヒンジ部６０がそれぞれ右方に突出して形成されている。さらに、左側枠扞３３の上部の内側鉛直部５０には、切欠部６１が形成され、切欠部６１には球抜き操作孔７に対応する位置に設けられた球抜き機構の操作レバー（図示せず）の側部が遊嵌可能となっている。さらにまた、図示されていないが、左側枠扞３３には、カードリーダ固定用の孔が穿設されている。
【００２６】
なお、図６の左側の図において想像線で示されているように、左側枠扞３３の内側鉛直部５０’は、その前端部５５’が前枠３に当接し、前枠３の開放方向に付勢可能なように構成されていてもよい。この場合には、内側鉛直部５０’が前枠３の開放動作補助部として機能し、前枠３の開放時、内側鉛直部５０’の付勢力が前枠３の開放方向に作用するため、前枠３の開放作業を容易に行うことができる。
【００２７】
図６の右側の図によく示されているように、右側枠扞３４は、金属板を扁平形状に折り曲げることにより一体に形成され、内側鉛直部６２と、後方鉛直部６３と、外側鉛直部６４と、外側鉛直部６４の前端部において内側に折り曲げることにより形成された前方鉛直部６５とから構成されている。そして、前方鉛直部６５の前面６６及び内側鉛直部６２の前端部６７は、閉鎖状態に保持された前枠３の後面に当接可能なように形成され、前方鉛直部６５の前面６６と内側鉛直部６２の前端部６７との間には隙間６８が形成されている。
【００２８】
また、図３に示されているように、右側枠扞３４には、上端部に上側枠扞３１の連結部４３との連結部６９が左方に突出して形成され、下端部には下側枠扞３２の連結部４９との連結部７０が左方に突出して形成されている。さらに、右側枠扞３４の内側鉛直部６２には、施錠装置５を構成する係合片７１が上下２箇所に形成され、係合片７１は右側枠扞３４と一体に成形されている。
【００２９】
このように、左側及び右側枠扞３３，３４の前端部には、前枠３に対する当接部（折り返し鉛直部５３の前端角部５４と内側鉛直部５０の前端部５５、及び前方鉛直部６５の前面６６と内側鉛直部６２の前端部６７）がそれぞれ２箇所ずつ形成され、しかも、その間にはそれぞれ隙間５６，６８が形成されているため、悪意ある遊技者によって、外側の当接部（この場合には折り返し鉛直部５３の前端角部５４又は前方鉛直部６５の前面６６）と前枠３との間に針金等の異物が不正に挿入されたとしても、隙間５６，６８により外枠２側には異物の挿入を案内する部材がなくなるため、異物は外枠２の内部の空間７３，７４（すなわち、後方）に入り込むようになる。したがって、異物が内側の当接部（この場合には内側鉛直部５０の前端部５５又は内側鉛直部６２の前端部６７）と前枠３の間に挿入されるおそれはなく、前枠３の背面側に装備された賞球装置や各種回路基板や電子部品等に対する悪戯行為を防止することができる。
【００３０】
上記したように、本実施の形態によれば、外枠２の構成部材がすべて金属製であると共に、ヒンジ部５８，６０、施錠用係合片７１、幕板部４５等の付属部品が外枠２と一体に成形されているため、外枠２の組立て作業の簡素化が図れ、十分な強度を確保することができ、使用後のリサイクルが容易となり、さらに、パチンコ遊技機１のアース（接地）が取り易くなる。
【００３１】
なお、上記実施の形態においては、上側枠扞３１の上方水平部３７と左側及び右側枠扞３３，３４の外側鉛直部５２，６４の各前端部は、いずれも折り曲げ或いは折り返されているが、これらの前端部は、前枠３に当接可能に形成されていれば、必ずしも、折り曲げ等されていなくてもよい。また、前枠３に当接可能に形成された上側及び左右両側の枠扞３１，３３，３４の各当接部の数はそれぞれ、３個以上であってもよい。
【００３２】
また、上記実施の形態では、各当接部が前枠３に当接する場合について例示したが、本発明は、各当接部が裏セット盤１８に当接する場合にも適用可能である。
【００３３】
さらに、下側枠扞３２は折り返し部４６の前端部４７だけが前枠３に当接するように構成されているが、幕板部４５を前枠３より後方にずらし、幕板部４５の上端部と折り返し部４６の前端部４７の２箇所が前枠３に当接するように構成してもよい。
【００３４】
さらにまた、前枠３の開放方向に付勢された開放動作補助部は、左側枠扞３３の他に、或いは、左側枠扞３３の代わりに、右側枠扞３４に設けられてもよい。
【００３５】
さらに、上記実施の形態では、本発明をパチンコ遊技機に適用した場合について説明したが、これは単なる例示に過ぎず、本発明は、アレンジボール等の他の弾球遊技機やスロットマシン等の回動遊技機にも適用可能である。
【図面の簡単な説明】
【００３６】
【図１】本発明の実施の形態におけるパチンコ遊技機を示す正面図である。
【図２】図１のＡ−Ａ矢視図である。
【図３】本発明の実施の形態に係るパチンコ遊技機の外枠構造を示す正面図である。
【図４】本発明の実施の形態における上側枠扞を示す断面図である。
【図５】本発明の実施の形態における下側枠扞を示す断面図である。
【図６】本発明の実施の形態における左右側枠扞を示す断面図である。
【符号の説明】
【００３７】
１          パチンコ遊技機
２          外枠
３          前枠
６          遊技盤
３１        上側枠扞
３２        下側枠扞
３３        左側枠扞
３４        右側枠扞
３９        前面
４０        前端部
４１        隙間
４６        折り返し部
４７        前端部
５０’      内側鉛直部
５４        前端角部
５５        前端部
５６        隙間
５８        ヒンジ部
６０        ヒンジ部
６６        前面
６７        前端部
６８        隙間
７１        係合片
【図１】
0004605578.tif 000002
【図２】
0004605578.tif 000003
【図３】
0004605578.tif 000004
【図４】
0004605578.tif 000005
【図５】
0004605578.tif 000006
【図６】
0004605578.tif 000007